(57)【特許請求の範囲】
【請求項１】
制御インターフェース（７）によって相互接続された、ネットワークアクセスマネージャユニット（５）を備えた通信ユニット（３）と制御装置（２）とを備えた無線通信デバイス（１.１）をセルラネットワーク（９）において動作させる方法であって、
前記方法は、前記通信ユニットについて、
−前記セルラネットワークからネットワークアクセスガイダンス（１３）を受信するステップと、
−前記受信したネットワークアクセスガイダンスを前記ネットワークアクセスマネージャユニットにおいて処理するステップと、
−前記ネットワークアクセスガイダンスを処理するステップの一部として、前記受信したネットワークアクセスガイダンスを解釈し、前記解釈によって生じたネットワークアクセスガイダンスに関連する情報を前記制御装置に提供するステップと、
−前記制御インターフェースによって、前記制御装置から前記ネットワークアクセスガイダンスに関連する応答を確認するステップと、
−前記ネットワークアクセスマネージャユニットにおいて前記ネットワークアクセスガイダンスに関連する応答を処理するステップと、を含む方法。
【請求項２】
前記ネットワークアクセスガイダンス（１３）に関連する情報を提供する前に、前記受信したネットワークアクセスガイダンスを解釈し、前記情報を提供するために前記解釈ステップの結果を使用するステップを更に含む、請求項１に記載の方法。
【請求項３】
前記制御装置（２）からの前記応答は、ネットワークアクセスガイダンス（１３）の実行時間に関連する命令を含み、
前記応答を処理するステップは、前記時間に従う前記ネットワークアクセスガイダンスを実行することを含む、請求項１又は２に記載の方法。
【請求項４】
前記制御装置（２）からの前記応答は、前記ネットワークアクセスガイダンス（１３）に関連する情報の一部である動作パターンの選択に関連する命令を含み、
前記応答を処理するステップは、ネットワークアクセスに関する前記選択された動作パターンを適用することを含む、請求項１又は２に記載の方法。
【請求項５】
前記制御装置（２）からの前記応答は、前記ネットワークアクセスガイダンス（１３）の実行を拒絶することに関連する命令を含み、
前記応答を処理するステップは、前記ネットワークアクセスガイダンスを無視することを含む、請求項１又は２に記載の方法。
【請求項６】
前記制御装置（２）からの前記応答は、事前設定された遠隔サーバ（１４）に接触することに関連する命令を含み、
前記応答を処理するステップは、前記ネットワークアクセスガイダンスを示すメッセージを前記遠隔サーバに送信することを含む、請求項１又は２に記載の方法。
【請求項７】
前記遠隔サーバ（１４）は、前記メッセージに応答して、少なくとも１つのメッセージを、前記メッセージを前記遠隔サーバに送信する前記無線通信デバイスとは異なる少なくとも１つの無線通信デバイス（１．２）に送信する、請求項６に記載の方法。
【請求項８】
前記ネットワークアクセスマネージャユニット（５）について、前記制御装置からの前記応答を処理することの一部として、前記セルラネットワーク（９）に前記受信した応答に関連する指示を提供するステップを含む、請求項１乃至７の少なくとも１項に記載の方法。
【請求項９】
前記ネットワークアクセスガイダンス（１３）は、以下のグループ、
−無線によるソフトウェアインストール要求、
−前記通信ユニット（３）で動作する無線ポリシーマネージャソフトウェアの構成、
−前記通信ユニットのサービス品質要求のプリセット値、
−ネットワークアクセス制限、
−ネットワークフレンドリーモード命令、及び／又は
−前記グループ要素の少なくとも２つの組み合わせ、
のうちの少なくとも１つである、請求項１乃至８の少なくとも１項に記載の方法。
【請求項１０】
前記制御装置（２）に情報を提供するステップは、前記受信したネットワークアクセスガイダンスに関連する情報を、前記制御装置がアクセス可能なログファイルに書き込むことを含む、請求項１乃至９の少なくとも１項に記載の方法。
【請求項１１】
制御インターフェース（７）によって相互接続された、ネットワークアクセスマネージャユニット（５）を備えた通信ユニット（３）と制御装置（２）とを備え。セルラネットワーク（９）において動作する無線通信デバイス（１.１）であって、
前記通信ユニットは、
−前記セルラネットワークからネットワークアクセスガイダンス（１３）を受信し、
−前記ネットワークアクセスガイダンスを前記ネットワークアクセスマネージャユニットにおいて処理し、
−前記ネットワークアクセスガイダンスを処理することの一部として、前記受信したネットワークアクセスガイダンスを解釈し、前記解釈によって生じた前記ネットワークアクセスガイダンスに関連する情報を前記制御装置に提供し、
−前記制御インターフェースによって、前記制御装置から前記ネットワークアクセスガイダンスに関連する応答を確認し、
−前記ネットワークアクセスマネージャユニットにおいて前記ネットワークアクセスガイダンスに関連する応答を処理する、
ように構成された無線通信デバイス（１．１）。
【請求項１２】
更に、前記ネットワークアクセスガイダンス（１３）に関連する情報を提供する前に、前記ネットワークアクセスガイダンスを解釈し、前記情報を提供するために前記解釈の結果を使用するように構成された、請求項１１に記載の無線通信デバイス（１．１）。
【請求項１３】
前記制御装置（２）からの前記応答は、以下のグループ、
前記ネットワークアクセスガイダンス（１３）の実行時間に関連する命令、
前記ネットワークアクセスガイダンスに関連する前記情報の一部である動作パターンの選択に関連する命令、
前記ネットワークアクセスガイダンスの実行を拒絶する命令、
事前設定された遠隔サーバに接触することに関連する命令、
のうちの少なくとも１つを含む、請求項１１又は１２に記載の無線通信デバイス（１．１）。
【請求項１４】
前記ネットワークアクセスマネージャユニット（５）は、前記制御装置（２）からの前記応答を処理することの一部として、前記セルラネットワーク（９）に前記受信した応答に関連する指示を送信するように構成される、請求項１１乃至１３の少なくとも１項に記載の無線通信デバイス（１．１）。
【請求項１５】
前記ネットワークアクセスガイダンス（１３）は、以下のグループ、
−無線によるファームウェアインストール要求、
−前記通信ユニットで動作する無線ポリシーマネージャソフトウェアの構成、
−前記通信ユニットのサービス品質要求のプリセット値、
−ネットワークフレンドリーモード命令、及び／又は
−前記グループ要素の少なくとも２つの組み合わせ、
のうちの少なくとも１つである、請求項１１乃至１４の少なくとも１項に記載の無線通信デバイス（１．１）。
【発明の詳細な説明】
【技術分野】
【０００１】
本発明は、セルラネットワークにおいて無線通信デバイスを動作させる方法に関する。
【０００２】
本発明は、当該方法を用いた無線通信デバイスにも関する。
【背景技術】
【０００３】
一般に無線通信の分野において、セルラネットワークは、携帯電話機とは異なる動きをするために用いられる、膨大な数のいわゆるマシンタイプ通信（ＭＴＣ）デバイスに直面している。特に、特定のネットワーク活動の自動性により、現在セルラネットワークが準備できていないネットワークシグナリングの顕著なピークが発生する可能性がある。
【０００４】
実際、セルラネットワークは、そのようなＭＴＣデバイスの動作に影響を及ぼす対策を取り始めている。そのような対策はネットワークアクセスガイダンスという語に集約される。
【０００５】
そのようなネットワークアクセスガイダンスの１つの例が、ＧＳＭＡネットワーク効率ガイド（ＧＳＭＡアソシエーション、公文書ＣＬＰ．０３：ＩｏＴデバイスの効率的接続に関するガイドラインＶ１．０、２０１４年１０月１３日）に文書化されている。
【０００６】
ＭＴＣデバイスは一般に、制御装置と、通信ユニット、特に無線モジュールとからなる。これらのＭＴＣデバイスには、制御装置について、斯かるネットワークアクセスガイダンスによって強く影響を受ける通信ユニットの動作が予測不可能であるという、斯かるネットワークアクセスガイダンスに関する問題がある。また、場合によっては、制御装置がネットワークアクセスガイダンスに応じて通信ユニットの動作に影響を及ぼす必要がある。
【０００７】
これは、制御装置のコンテキスト及びネットワークアクセスガイダンスが適切で従うことが可能かどうかを通信ユニットが知らないためである。これは、無線通信デバイスが高速で移動中の自動車に設置され、ネットワークにより一定量のデータのダウンロードを指示される場合に特に問題となる。
【０００８】
一方、制御装置がネットワークアクセスガイダンスを完全に処理することは欠点である。制御装置は一般に、デバイスメーカーの垂直市場に係る特殊目的のために作られたデバイスである。斯かる垂直市場は、ＰＯＳユニット、アセットトラッキングユニット、又は自動車内のエンターテイメント及びセキュリティユニットであってよい。一般には、斯かるデバイスは、単に通信ユニットに接続を要求し、接続の設定、データの送受信及び接続を閉じることのみを目指す。
【０００９】
制御装置において追加的にネットワークアクセスガイダンスを処理することは膨大な過負荷となり得る。これは、デバイスの目的からの低動作要求による動作電力の小さい制御装置について特に当てはまる。
【発明の概要】
【発明が解決しようとする課題】
【００１０】
従って、本発明の目的は上述の欠点を克服し、ネットワークアクセスガイダンスを処理するために、制御装置と通信ユニットの間で無線通信デバイスの制御を改善するための解決策を提案することである。
【００１１】
したがって、更に別の有利な解決策も技術的に望ましいであろう。
【課題を解決するための手段】
【００１２】
このため、本発明の第１の態様によれば、請求項１に記載の無線通信デバイスを動作させる方法が提案される。更に、本発明の第２の態様によれば、請求項１１に記載の無線通信デバイスが提案される。本発明の第３の態様によれば、請求項１６に記載の遠隔サーバが提案される。
【００１３】
したがって、制御インターフェースによって相互接続された、ネットワークアクセスマネージャユニットを備えた通信ユニットと制御装置とを備えた無線通信デバイスをセルラネットワークにおいて動作させる方法であって、方法は、通信ユニットについて、
−セルラネットワークからネットワークアクセスガイダンスを受信するステップと、
−受信したネットワークアクセスガイダンスをネットワークアクセスマネージャユニットにおいて処理するステップと、
−ネットワークアクセスガイダンスを処理するステップの一部として、受信したネットワークアクセスガイダンスを解釈し、前記解釈によって生じたネットワークアクセスガイダンスに関連する情報を制御装置に提供するステップと、
−制御インターフェースによって、制御装置から前記ネットワークアクセスガイダンスに関連する応答を確認するステップと、
−ネットワークアクセスマネージャユニットにおいて前記ネットワークアクセスガイダンスに関連する応答を処理するステップと、
を含む方法が提案される。
【００１４】
本発明の方法は、セルラネットワークにおいて動作している無線通信デバイスが想定されている。そのようなセルラネットワークは、ＧＳＭ（登録商標）、ＵＭＴＳ及び／又はＬＴＥなどの無線セルラ技術標準をサポートするとされる。無線通信デバイスは、以下でサポートする無線セルラ技術標準に関して限定する意図なく基地局と呼ばれる、特にＮｏｄｅＢ又はｅＮｏｄｅＢなどのセルラネットワークの基地局を介してエアインターフェースによりセルラネットワークと通信している。
【００１５】
無線通信デバイスは特に、基地局にキャンプオンし、セルラネットワークにおいて動作している。無線通信デバイスがキャンプオンしている基地局は、アクティブな基地局と呼ばれる。斯かる無線通信デバイスは、携帯電話ではなく、自動販売機、アセットトラッカー、電子計器又は家庭用防犯システムなどの、いわゆるマシンツーマシン（Ｍ２Ｍ）デバイスであることが好ましい。
【００１６】
無線通信デバイスは、少なくとも通信ユニット及び制御装置を備える。
【００１７】
通信ユニットは特に、Ｍ２Ｍモジュールである。更に、通信ユニットは、ネットワークアクセスマネージャユニットと、好ましくはネットワークアクセスユニットとを備える。ネットワークアクセスユニットは特に、アクティブな基地局とのエアインターフェースを介した実際の通信を実行するトランシーバユニットを備える。つまり一般に、ベースバンドチップ、高周波（ＲＦ）ユニット、アンテナ及びプロトコルスタックなどのコンポーネントを備える。
【００１８】
制御装置は、例えばデバイスのユーザとのインターフェース、特にグラフィックユーザインターフェースなどのコマンド及びコマンドを実行した結果の入出力インターフェースなどを備えた、一般的な制御インスタンスである。
【００１９】
無線通信デバイスの動作の一部として、制御装置は、セルラネットワークを介した接続を利用するものとし、これによって制御インターフェースを介して通信ユニットにデータの送受信又は電話呼の処理を実行させる。
【００２０】
この方法は、通信ユニットがセルラネットワークからアクティブな基地局及びエアインターフェースを介して、ネットワークアクセスガイダンスを受信することから始まる。アクティブな基地局が存在するという事実は、通信ユニットが本発明の方法を実施する前に基地局への登録に成功したことを示す。
【００２１】
受信した斯かるネットワークアクセスガイダンスは特に、少なくとも１つの無線通信デバイスに、予想される無線通信デバイスのセルラネットワークへのアクセス方法に関する命令、規則、動作パターン及び／又は助言を提供する。
【００２２】
セルラネットワークは、１つ以上のネットワークアクセスガイダンスを少なくとも１つ以上の無線通信デバイスに提供するように構成されることが好ましい。特に、セルラネットワークの基地局は、各ネットワークアクセスガイダンスを１つ以上のメッセージとして、基地局にキャンプオンしている無線通信デバイス、特に、例えば携帯電話機とは異なるマシンツーマシンデバイスのグループに属するデバイスの一部に送信する。これは、セルラネットワークが複数の無線通信デバイスを１つのパスで設定できるようにするため有利である。
【００２３】
特に、ネットワークアクセスガイダンスは、次のグループのうちの少なくとも１つであることが想定されている。
−無線によるソフトウェアインストール要求、
−通信ユニットで動作する無線ポリシーマネージャソフトウェアの構成、
−通信ユニットのサービス品質要求のプリセット値、
−ネットワークアクセス制限、
−ネットワークフレンドリーモード命令、及び／又は
−上記グループ要素の少なくとも２つの組み合わせ。
【００２４】
無線によるファームウェアインストールを含むネットワークアクセスガイダンスの場合、セルラネットワークは、ソフトウェア、特にファームウェア又はパッチなどのファームウェアの一部をダウンロードする必要性を無線通信デバイスに通知することが想定されている。そのような情報は、ソフトウェアをダウンロードする経路を無線通信デバイスに示すことが好ましい。
【００２５】
これによってセルラネットワークはダウンロードを開始できるようになる。好ましくは、セルラネットワークを介して影響を受けた無線通信デバイスにダウンロードを開始させるのは遠隔サーバである。
【００２６】
また、ネットワークアクセスガイダンスは、特に通信ユニットの無線通信デバイス上で動作し、セルラネットワーク内での通信ユニットの動作に影響を与える、セルラネットワークから提供されたソフトウェアである無線ポリシーマネージャ（ＲＰＭ）ソフトウェアの構成を含む。特に、以前のオプションのソフトウェアもＲＰＭソフトウェアである。
【００２７】
セルラネットワークによりＲＰＭソフトウェアの構成を変更する必要性が検出された場合は、ネットワークアクセスガイダンスの一部として提供されることが好ましい。これは、無線通信デバイスの動作、特にネットワークと調和して動作しているか又は攻撃的に動作しているかや、一定のグループのデバイス、例えば静的な無線通信デバイスに割り当てられているかどうかに依存して、セルラネットワークは斯かるネットワークアクセスガイダンスを用いてＲＰＭソフトウェアの構成を調整できるために有利である。
【００２８】
また、ネットワークアクセスガイダンスは、通信ユニットのサービス品質要求のプリセット値を含む。サービス品質が低下すると、通信ユニットはより低い品質尺度を受け入れるよう指示される。
【００２９】
更に、ネットワークアクセスガイダンスはネットワークアクセス制限を含む。極端な例では、望ましくない動作に対するもので可能性がある、又はセルラネットワークのリソースが不足する場合のアクセスを少なくとも一時的に禁止し、無線通信デバイスは優先順位の低いサブスクリプションで動作している。更に、アクセス制限は一定のサービス又は許容可能な帯域幅に影響を与えることがある。
【００３０】
さらにまた、ネットワークアクセスガイダンスは、ネットワークフレンドリーモード命令を含む。これは特に、「ネットワークフレンドリー」と評価されるために、通信ユニットがセルラネットワークにおいてどのように動作できるかについてのいくつかの命令を意味する。この評価を得て、無線通信デバイスは一定の好適な処理を受ける権利を有する。特に、基地局のリソースが不足している場合、基地局は、より活動的な無線通信デバイスが基地局と更なる動作を行うことを禁止することができる。ネットワークフレンドリーモードに従って動作する無線通信デバイスであれば禁止されない。これは、ネットワークアクセスガイダンスに従う又は従わない場合の無線通信デバイスの実際の選択を含む、追加のタイプのネットワークアクセスガイダンスを示す。有利には、これによって選択は無線通信デバイスに委ねられる。
【００３１】
ネットワークアクセスガイダンスは、通信ユニットがその１つを選択してそれに基づいて処理することが予想される、通信ユニットの複数の動作パターンを含むことが更に想定されている。これはセルラネットワークからの自由な選択であり、好適な動作、特にネットワークフレンドリーモードの方向に決して偏っていないことが好ましい。そのような選択は、基本的に静止したデバイスであるか否かや、通常のカバレッジモードとは異なる拡張カバレッジモードで動作する低コストデバイスであるか否かなどを考慮していてもよい。
【００３２】
また、ネットワークアクセスガイダンスは、上述のネットワークアクセスガイダンスの可能性の２つ以上の組み合わせを含むこともある。
【００３３】
斯かるネットワークアクセスガイダンスを受信すると、通信ユニットは受信したガイダンスを処理することが予想される。特に、ネットワークアクセスマネージャユニットは、受信したネットワークアクセスガイダンスを考慮するために必要なステップを行うタスクを有する。この処理の一部は、ネットワークアクセスガイダンスに関連する情報を制御装置に提供することである。
【００３４】
このことは、制御装置が無線通信デバイスのコンテキストを知っているために特に有利である。特に、重要なデータ伝送セッションが予定されている場合、セルラネットワークから受信したネットワークアクセスガイダンスがこのタスクに適切でない場合がある。この情報は制御装置でのみ利用可能であるため、受信するネットワークアクセスガイダンスをどう処理するかを決定する好適なユニットである。したがって、ネットワークアクセスマネージャユニットは、受信したネットワークアクセスガイダンスに関連する情報を制御装置に提供する。好ましくは、これは通信ユニットと制御装置の間の制御インターフェースを通して行われる。
【００３５】
本発明によれば、ネットワークアクセスガイダンスに関連する情報を提供する前に、受信したネットワークアクセスガイダンスを解釈し、前記情報を提供するために解釈ステップの結果を使用するステップを含むことが更に想定される。
【００３６】
受信したネットワークアクセスガイダンスからの単純なデータ転送又はデータサブセットの取り出しとは対照的に、ネットワークアクセスガイダンスが解釈される、より複雑な方法ステップを実行することが有利である。そのため、ネットワークアクセスガイダンスをネットワークシグナリングコンテキストから制御装置コンテキストに変換する変換ステップが必要とされる。
【００３７】
好ましくは、制御装置へのネットワークアクセスガイダンスに関連する情報の提供は、制御インターフェースを使用して、特に非同期的なイベントによって実行される。ＡＴコマンドインターフェースの場合、これは非請求の結果コード（ＵＲＣ）となる。
【００３８】
通信ユニット、そのネットワークアクセスマネージャユニットは、制御装置に前記ネットワークアクセスガイダンスに関連する応答を期待する。これは基本的に、ネットワークアクセスガイダンスをどう処理するかについての決定である。応答は制御インターフェースを介して受信される。これは、要求−応答機構によるか、又は非同期イベントを介した通信ユニットからのメッセージによるかのいずれか、及びコマンド経由の応答である。後者の場合、通信ユニットはまた、コマンドが受信される及び／又は処理できる場合のＡＣＫ／ＮＡＣＫを少なくとも含む応答を制御装置に提供することができる。
【００３９】
応答を処理することの一部は、特にネットワークアクセスマネージャユニットの評価ステップである。ネットワークアクセスガイダンスのコンテキスト又は適格性に関する他の情報が存在する場合、ネットワークアクセスマネージャユニットは別の行動を取ることができる。これは好ましくは、制御インターフェースを介したより多くのシグナリングを伴い得る、制御装置及びネットワークアクセスマネージャユニット間の追加の交渉ステップを表す。無線通信デバイスの構成に依存して、特に、受信するネットワークアクセスガイダンスをどう処理するかについての最終決定をどのコンポーネントが有するかに関する決定が存在する。
【００４０】
通信ユニットが制御装置からの応答、すなわち制御装置及びネットワークアクセスマネージャユニットからの最終決定を受信すると、ネットワークアクセスマネージャユニットはこれを処理する。次いでネットワークアクセスマネージャユニットは応答を処理する。したがって、セルラネットワークから受信した未処理のネットワークアクセスガイダンスは、制御装置からの応答を考慮するネットワークアクセスマネージャユニットにより処理される。
【００４１】
本発明の方法及び前記実施形態は、取得したネットワークアクセスガイダンスをどう処理すべきかについての決定が、基本的にこれらの決定の情報ベースが利用可能である場合に行われるという理由により有利である。制御装置は一般に、具体的には、特に人間のオペレータが一般的な設定及びガイドラインを入力できる場合にユーザインターフェースによって、無線通信デバイスの動作全体を管理する。
【００４２】
したがって、制御装置は、ネットワークアクセスガイダンスをいつどのように実行すべきかについて決定する場所である。一方、制御装置は、セルラネットワーク内の動作についての詳細を知らず、知る必要もない。したがって、ネットワークアクセスガイダンスを解釈するステップは、通信タスクに関する専門的な場所である通信ユニットに本発明の方法の一部として位置付けられる。
【００４３】
制御装置からの応答、ひいてはネットワークアクセスマネージャユニットの処理に関する複数の実施形態が本発明の一部として想定される。
【００４４】
１つの好適な実施形態によれば、制御装置からの前記応答は、ネットワークアクセスガイダンスを実行する時間に関連する命令を含み、前記応答を処理するステップは、前記時間に従うネットワークアクセスガイダンスを実行することを含むことが想定されている。
【００４５】
この実施形態は、通信ユニットがネットワークアクセスガイダンスに従う「場合」ではなく、「いつ」従うかに関する指示を提供する。制御装置は、予定されたソフトウェアのダウンロードについて、想定されるダウンロードがその時間で適切か否かを判断することができる。これは、制御装置がより大きなデータ送信又は受信セッションの終了に気付いている場合に、その時間におけるネットワークアクセスガイダンスの処理が適切でないことをネットワークアクセスマネージャユニットへの応答によって示すことが好ましいために有利である。したがって、ネットワークアクセスマネージャユニットは、通信ユニットに処理を遅らせるよう指示する。好ましくは、ネットワークアクセスガイダンスの実行が予想される期間は、この又は以前のネットワークアクセスガイダンスを備え、制御装置にも提供される。
【００４６】
ネットワークアクセスガイダンスの実行時間に関連する命令は、好ましくは、ネットワークアクセスガイダンスを処理し、効果的にこれに従う時点又はそれまでの時間をネットワークアクセスマネージャユニットに通知する。
【００４７】
また、制御装置からの第１の応答は、受信したネットワークアクセスガイダンスの処理を停止することについてネットワークアクセスマネージャユニットに単に示すことができる。次に、特に差し迫った大きなデータ送信又は受信セッションが終了した後の、制御インターフェースを介した第２のメッセージを用いて、制御装置は、ネットワークアクセスガイダンスを現在処理する、すなわち実行できることについてネットワークアクセスマネージャユニットに通知する。
【００４８】
別の好適な実施形態によれば、制御装置からの前記応答が前記ネットワークアクセスガイダンスに関連する情報の一部である動作パターンの選択に関連する命令を含み、前記応答を処理するステップは、ネットワークアクセスに関する選択された動作パターンを適用することを含む方法が提案される。
【００４９】
この実施形態は、特に、好ましくは無線通信デバイスの動作パターンに関する選択肢を含むネットワークアクセスガイダンスに基づく。これは、その動作パターンが適用されているときの条件をセルラネットワークが提供する場合に適用されることが好ましい。
【００５０】
しかしながら、制御装置は、自身のコンテキストに基づく好適な選択肢を有する場合もある。これは特に、ネットワークアクセスガイダンスの一部として提供された選択的な動作パターンの１つが、特定のコンテキストを有する無線通信デバイスに好適である場合に当てはまる。斯かるコンテキストは、特に、静的なデバイス又は拡張されたカバレッジで動作するデバイスを指すことがある。
【００５１】
ここで通信ユニット、そのネットワークアクセスマネージャユニットは、有利には前記解釈ステップを実行する。したがって、少なくとも２つの動作パターンは、一定のコンテキストに対する選好を示すことがある。この場合、ネットワークアクセスマネージャユニットがネットワークアクセスガイダンスに関連する情報として制御装置に提供するものは、ネットワークアクセスマネージャユニットの解釈に従って動作パターンが適用されるコンテキストにすぎない。
【００５２】
制御装置は、適用されるコンテキストにより特徴付けられた少なくとも２つの動作パターン間で選択する可能性に関する情報を受信する場合、自身のコンテキストを動作パターンに割り当てられたものと比較できるようになる。したがって、コンテキストのベストマッチを有する動作パターンが選択され、通信ユニットに対する応答として提供される。
【００５３】
その結果、前記応答を処理するステップは、通信ユニットにより、差し迫ったネットワークアクセスに関する、制御装置により選択された動作パターンを適用することを含む。
【００５４】
別の有利な実施形態によれば、制御装置からの前記応答は、ネットワークアクセスガイダンスの実行を拒絶することに関連する命令を含み、前記応答を処理するステップは、拒絶メッセージをセルラネットワークに送信することを含む方法が提案される。
【００５５】
この実施形態は、少なくとも１つの選択的特性を含むネットワークアクセスガイダンスに適用可能である。これは、セルラネットワーク内でどう動作するかについての助言に適用される。特に、ページング周期の適合に関するものなど、通信ユニット、すなわち無線通信デバイス全体の電力消費フットプリントに悪影響を及ぼすおそれのある助言は、制御装置によりできる限り拒絶される。これは特に、助言を受けたネットワークアクセスガイダンスが電力消費の著しい増加をもたらす場合に、利用可能な電源が制限されている、又は所与の電力消費割り当てを実現できない場合である。
【００５６】
したがって、制御装置は、通信ユニットにネットワークアクセスガイダンスを拒絶することを示す。その結果、通信ユニットはネットワークアクセスガイダンスを無視する。
【００５７】
好ましくは、通信ユニットはさらに、セルラネットワークに拒絶を通知する。さらに、この理由を提供することが好ましい。その結果、セルラネットワークは、前記受信した拒絶の理由を考慮して、命令の送信を繰り返さない、又は適合したネットワークアクセスガイダンスを送信するという反応をすることになる。
【００５８】
別の好適な実施形態によれば、制御装置からの前記応答は、事前設定された遠隔サーバに接触することに関連する命令を含み、前記応答を処理するステップは、ネットワークアクセスガイダンスを示すメッセージを遠隔サーバに送信することを含む方法が提案される。
【００５９】
この実施形態は、好ましくは、類似の特性を有する複数の無線通信デバイスを管理するサーバ、例えばフリートサーバ又はアグリゲータ、すなわち検出又は計量デバイスのゲートウェイなどのサーバである遠隔サーバを含む。この遠隔サーバは、無線通信デバイスのネットワークアクセス特性を現場で適合させるように構成されることが好ましい。
【００６０】
このような遠隔サーバは、特に、知られている無線通信デバイスのネットワークアクセス特性を制御する能力を有する。好ましくは、この遠隔サーバは、特に検出又は計量結果について、定期的に又はイベントベースでデータ伝送を受信する。また、遠隔サーバは、データを無線通信デバイスにダウンロードする、特に、マルチメディアファイルやマップなどのコンテンツを更新することが想定されている。
【００６１】
また、ネットワークアクセス特性を設定するための前記遠隔サーバは、無線通信デバイスが実際にデータ交換を行う遠隔サーバとは異なる。これは、特に異種ネットワーク環境において有利である。
【００６２】
好ましくは、遠隔サーバはセルラネットワークによってアクセスされる。別の好ましい実施形態では、無線通信デバイスは、例えばＥｔｈｅｒｎｅｔ、Ｗｉｆｉ，ＷｉＭａｘ、Ｚｉｇｂｅｅ，ＺＷａｖｅ、Ｂｌｕｅｔｏｏｔｈ（登録商標）などを介する選択的接続手段、又は接続手段を透過的にサポートするゲートウェイデバイスを提供する。これによって、特にネットワークアクセスガイダンスが無線通信デバイスのセルラネットワークへのアクセスを制限又は禁止する場合に、セルラネットワークからのアクセスの独立が可能になる。
【００６３】
このような場合、通信ユニットはマルチモードユニットであるか、又は、無線通信デバイスは好ましくはそれぞれ１つの接続タイプの２つの通信ユニットを備えるかのいずれかである。後者の場合、制御装置は、第１の通信ユニットからネットワークアクセスガイダンスに関連する情報を受信すると、遠隔サーバへのメッセージの送信をトリガするために、第２の通信ユニットに応答する。
【００６４】
一般に、このようなサーバは、通信ユニットではなく制御装置に知られている。したがって、ネットワークアクセスガイダンスを受信した時に、遠隔サーバに通知する必要があることを特定する必要があるのは制御装置である。
【００６５】
したがって、受信したネットワークアクセスガイダンスを示すメッセージが、通信ユニットによって遠隔サーバに送信される。特に、これは、ネットワークアクセスマネージャユニットにより制御装置に提供された受信したネットワークアクセスガイダンスに関連する情報が、制御装置から通信ユニットへのアクセス要求コマンドをトリガすることを意味する。
【００６６】
ネットワークアクセスガイダンスを処理するプロセスでは、遠隔サーバがこのネットワークアクセスガイダンスをどう処理するか、すなわちどの構成を取るかについての指示で応答することが更に有利である。このような情報は、無線通信デバイスの通信ユニットに特に有意義である。代替的に又は付加的に、遠隔サーバは、セルラネットワークからのネットワークアクセスガイダンスに適合する信頼性のあるデータ送信又は受信方式を維持するために、ネットワークアクセス特性、特にタイムスケジュール及び／又はサービス品質要求を適合させるように構成されることが好ましい。
【００６７】
上記に加え、別の好適な実施形態によれば、遠隔サーバは、前記メッセージに応答して、少なくとも１つのメッセージを、メッセージを遠隔サーバに送信する無線通信デバイスとは異なる少なくとも１つの無線通信デバイスに送信する方法が提案される。
【００６８】
この実施形態は、一群の無線通信デバイスを処理する遠隔サーバに特に有利である。各無線通信デバイスによって特定のネットワークアクセスガイダンス、特に制限又は禁止についての通知が遠隔サーバに行われる場合、遠隔サーバに知られている他の無線通信デバイス（以下、第２の無線通信デバイス）がこのネットワークアクセスガイダンスについての指示を取得する。
【００６９】
このような指示は、１つの選択肢である、セルラネットワーク内における第２の無線通信デバイスの動作に関する助言である。これには通常、遠隔サーバに情報を送信する無線通信デバイス（以下、第１の無線通信デバイス）も遠隔サーバからの応答として期待するようなネットワークアクセス特性が含まれる。
【００７０】
別のオプションは、第２の無線通信デバイスがネットワークアクセスガイダンスの影響を受ける前に何らかの緊急タスクを実行することについての指示である。これは特に、好ましくは使用の制限又は禁止が予想される場合の、データのアップロード又はダウンロードを含む。
【００７１】
斯かる第２の無線通信デバイスは、遠隔サーバに要求を送信した第１の無線通信デバイスの特性を共有することが好ましい。
【００７２】
このような特性の１つのオプションは、位置、特にセル又は位置、すなわち無線通信デバイスのトラッキングエリアである。
【００７３】
別のオプションは、無線通信デバイスが動作しているセルラネットワークである。これは、どのネットワークオペレータがセルラネットワークを運営しているか、又はどの無線アクセスネットワーク、すなわち、どの無線セルラ技術標準が使用されているかという点で特に区別される。両者の組み合わせもこの実施形態の一部である。
【００７４】
斯かる特性の別のオプションは、ネットワーク内又は遠隔サーバ内のいずれかにおける、デバイスのグループ又はドメインへの割り当てである。これは特に、ＭＴＣデバイス、低コストデバイス、又は拡張されたカバレッジのような特別なシグナリング手段をサポートするデバイスを指す。
【００７５】
実際上、この実施形態は、遠隔サーバに知られている無線通信デバイスにおけるネットワークアクセス特性、又は少なくともそれらの一部の整合的な適合を可能にし、デバイス間の通信を確保することを支援する。
【００７６】
別の好適な実施形態によれば、ネットワークアクセスマネージャユニットについて、制御装置からの応答を処理することの一部として、セルラネットワークに受信した応答に関連する指示を提供するステップを含む方法が提案される。
【００７７】
この実施形態の一部として、ネットワークアクセスマネージャユニットが制御装置から応答を取得した後、セルラネットワークに、無線通信デバイスが受信したネットワークアクセスガイダンスを順守しようとしている方法を示すメッセージが送信される。
【００７８】
このため、ネットワークアクセスマネージャユニットは、メッセージをアクティブな基地局に送信することを通信ユニットに指示する。好ましくは、これは、特にネットワークアクセスガイダンスのタイプ及び伝送経路に依存する、受信したネットワークアクセスガイダンスに対する応答に関するメッセージである。
【００７９】
この動作は、セルラネットワークから取得したネットワークアクセスガイダンスについての通知が行われた後に、制御装置からの応答を処理するステップの少なくとも１つである。好ましくは、同時に、ネットワークアクセスマネージャユニット、すなわち通信ユニットは、セルラネットワーク内の次の動作について、制御装置から取得した応答も考慮に入れる。
【００８０】
セルラネットワークに指示を送信することは、セルラネットワークにはネットワークアクセスガイダンスを最初に受信したという確証があるために特に有利である。更に、セルラネットワークは、送信無線通信デバイスから動作の非瞬間的な適合の場合に認識する。
【００８１】
ネットワークアクセスマネージャユニットによる拡張された解釈タスクに代わるものとして、好ましくは、セルラネットワークは更に、最初にネットワークアクセスガイダンスを用いて、どんな種類のネットワークアクセス動作がセルラネットワークから期待されるかについてのコンテキストを提供することが想定される。前記ネットワークアクセスマネージャユニットから指示を提供したときのセルラネットワークからの別の応答を用いて、アクティブな基地局は、動作パターンに適用された正確なパラメータを送信する。
【００８２】
これは、ネットワークアクセスガイダンスの一部として少なくとも２つの動作パターンから選択する場合に特に有利である。更に、制御装置は、ネットワークアクセス構成についての全ての詳細を必ずしも必要とせず、通信ユニットの動作リソースが節約される。
【００８３】
別の実施形態によれば、制御装置に情報を提供するステップは更に、受信したネットワークアクセスガイダンスに関連する情報を、制御装置がアクセス可能なログファイルに書き込むことを含むことが提案される。
【００８４】
この実施形態を用いて、通信ユニットと制御装置との間の非同期通信方式が設定される。ログファイルが適当な期間確実に保持される限り、この実施形態によって、ネットワークアクセスガイダンスをどう処理すべきかについての制御装置から通信ユニットへの直接命令の他に、後の段階において制御装置の見地から予期せぬ動作について再構成することも可能となる。
【００８５】
このことは特に、通信装置はネットワークアクセスガイダンスを受信し、ネットワークアクセスガイダンスの一部である命令を、制御装置への情報、特にログファイルによって直ちに実行することを意味する。
【００８６】
次いで制御装置が通信ユニットの動作の変化、特にネットワークアクセスが予定時間内に実行されないことに気付いた場合は、制御装置は、ログファイルを読み出し、各ネットワークアクセスガイダンスに関連する指示を見つけることができる。
【００８７】
可能なら、制御装置はこの場合、ログファイルを介して受信した情報に対する応答として、制御装置からの前記応答を補完する命令を通信ユニットに送出し、ネットワークアクセスガイダンスをどう処理すべきか、したがって、受信したネットワークアクセスガイダンスを用いてこれからどう動作すべかを、ネットワークアクセスマネージャユニットに指示することができる。したがって、ネットワークアクセスガイダンスに従う動作を受け入れる、通信ユニット、すなわちネットワークアクセスマネージャユニットの決定は、制御装置により非同期的に却下されることになる。
【００８８】
更に、この実施形態は、ログファイルを用いて、制御装置の見地からの動作変化の理由を、後で又はテストケースに連動して取得可能な場合の診断目的に有利である。
【００８９】
本発明の第２の態様によれば、制御インターフェースによって相互接続された、ネットワークアクセスマネージャユニットとネットワークアクセスユニットとを備えた通信ユニットと制御装置とを備え、セルラネットワークにおいて動作する無線通信デバイスであって、通信ユニットは、
−セルラネットワークからネットワークアクセスガイダンスを受信し、
−ネットワークアクセスガイダンスをネットワークアクセスマネージャユニットにおいて処理し、
−ネットワークアクセスガイダンスを処理することの一部として、受信したネットワークアクセスガイダンスを解釈し、前記解釈によって生じたネットワークアクセスガイダンスに関連する情報を制御装置に提供し、
−制御インターフェースによって、制御装置からネットワークアクセスガイダンスに関連する応答を確認し、
−ネットワークアクセスマネージャユニットにおいて前記ネットワークアクセスガイダンスに関連する応答を処理する、
ように構成された無線通信デバイスが提案される。
【００９０】
第２の態様は、本発明の第１の態様の利点を共有する。好ましくは、無線通信デバイスの一部である通信ユニットは、ネットワークアクセスユニットを更に備える。このネットワークアクセスユニットは、実際にアクティブな基地局とのシグナリングを実行するユニット、すなわち各コンポーネントを備えたトランシーバである。ネットワークアクセスユニット及びネットワークアクセスマネージャユニットは直接インターフェースを有し、両ユニットは、相互に命令を送出し、応答を受信可能であることが好ましい。
【００９１】
更に、無線通信デバイスの任意選択のコンポーネントは有利である。
【００９２】
本発明の第３の態様によれば、第１の無線通信デバイスで受信されたネットワークアクセスガイダンスを示すメッセージを、第１の無線通信デバイスから受信し、前記受信に応答して、少なくとも１つのメッセージを、第１の無線通信デバイスと異なる少なくとも１つの第２の無線通信デバイスに送信するように構成された遠隔サーバが提案される。
【００９３】
この遠隔サーバは、指示を遠隔サーバに送信することを含む方法である、本発明の第１の態様の前記実施形態に対応するものである。
【００９４】
前述のように、遠隔サーバは、１つの無線通信デバイス（以下、第１の通信デバイス）から、取得したネットワークアクセスガイダンスについての指示を受信するように構成する必要がある。次いで遠隔サーバは、第１の無線通信デバイスから取得したメッセージを示すメッセージを、少なくとも１つの異なる無線通信デバイス（以下、第２の無線通信デバイス）に送信するように構成される。
【００９５】
好ましくは、遠隔サーバは、冗長及び／又は負荷バランシング機構により接続された多数の単一サーバハードウェアコンポーネントを備える。更に、インターネットに接続されたインターフェースサーバ、及び、データベースサーバを含む、ファイアウォールの後方のバックエンドサーバは、前述の遠隔サーバの概念の一部である。
【００９６】
遠隔サーバは更に、遠隔サーバに知られている無線通信デバイスのレポジトリを提供する。したがって、第１の無線通信デバイスから指示を取得したとき、レポジトリで参照される複数の第２の無線通信デバイスに指示を送信することができる。
【００９７】
更に、遠隔サーバは、バックエンド接続を介してセルラネットワークに接触し、受信したネットワークアクセスガイダンスに関する問題についてネットワークに通知する。これによって、遠隔サーバオペレータ及びネットワークオペレータ間のサービス水準に応じて、遠隔サーバにより対処されるデバイス群に属する、少なくとも１つの無線通信デバイスに送信されたネットワークアクセスガイダンスの変更がもたらされ得る。
【００９８】
このように、この発明は、示された課題を有利に解決し、関連するコンポーネント間の便利で適切なワークフロー及びメッセージフローを提案する。
【図面の簡単な説明】
【００９９】
以下の説明及び添付図面はいくつかの例示的な態様を詳細に示しているが、実施形態の原理を使用することができる種々の方法のうちの一部を示している。本発明の特徴及び利点は、限定的ではなく例示的な例として与えられる有利な実施形態の以下の説明及び添付図面を読む時に現れるだろう。
【０１００】
【図１】本発明が適用される種類のデバイスを一実施形態として示す図。
【図２】本発明の方法の例示的な実施形態のシーケンス図。
【図３】本発明の方法の別の例示的な実施形態の別のシーケンス図。
【発明を実施するための形態】
【０１０１】
図１は、本発明が適用される種類の無線通信デバイス１．１を一実施形態として模式的に示す。本発明の一部として有用なコンポーネントが、無線通信デバイス１．１の一部として示されている。別のコンポーネントも好ましい。
【０１０２】
無線通信デバイス１．１の主制御ユニットは、一般に中央処理ユニットと、メモリと、メモリに格納され、中央処理ユニット上で実行可能なファームウェアソフトウェアとを備えた制御装置２である。一般に、少なくとも１つの最小のユーザインターフェース、例えば電源ボタンが利用できる。また、一般に加入者識別モジュール（ＳＩＭ）カード８が制御ユニットに取り外し可能に取り付けられている。
【０１０３】
更に、無線通信デバイス１．１は通信ユニット３を備える。これは一般に、モデム又はマシンツーマシン（Ｍ２Ｍ）モジュールとして知られた集積部品であり、セルラネットワーク９に登録し、メッセージの送信及び取得を行うのに必要な必須の構成要素の全てを備える。構成要素は、特にネットワークアクセスユニット４と、ネットワークアクセスマネージャユニット５と、通信ユニットファームウェア６とを備え、これによって、これらの構成要素の少なくとも２つは、特に１つの実行可能なライブラリ内に内蔵され得る。
【０１０４】
ネットワークアクセスユニットは、トランシーバ、クロック、プロトコルスタック及びベースバンドプロセッサを必然的に備える。ネットワークアクセスユニットはアンテナ１１に直接接続される。
【０１０５】
制御装置２に含まれる前記ファームウェアソフトウェアは、制御インターフェース７によって命令を通信ユニット３に送信するように構成される。
【０１０６】
この制御インターフェースは特に、通信ユニット３が、受信した命令のそれぞれ又は少なくとも大部分を少なくとも確認するために応答を送信する呼出しインターフェースである。
【０１０７】
特に、制御インターフェースは、ヘイズコマンドセット、更にオプションで追加の独自のコマンドを実行する、いわゆるＡＴインターフェースである。ＡＴインターフェースは、モデムを制御するための準標準である。
【０１０８】
Ｊａｖａ（登録商標）などの共通の高水準プログラミング言語を備えた関数呼出しインターフェースなどの他のインターフェースは、制御インターフェース７を実現する別のオプションである。
【０１０９】
二重の矢印で示されるように、制御インターフェースは特に、通信ユニットから制御装置へ非同期的にメッセージを提供する能力を必要とする。これはＡＴインターフェースでは非請求の結果コマンド（ＵＲＣ）であり、高水準プログラミング言語では、特に例外であり、低水準プログラミング言語では割込みである。
【０１１０】
これにより、通信ユニット３は、イベントに関する著しい遅延情報を伴わずに、特にセルラネットワーク９から制御装置２へメッセージを提供することが可能になる。
【０１１１】
セルラネットワーク９との接続は、アンテナ１１と基地局１０のアンテナとの間のエアインターフェース１２を介して行われる。各基地局１０は、地理的領域、すなわち、セルラネットワーク９と接続性を有し、不可欠な部分であるセルをカバーする。各セルラネットワーク９は複数の基地局１０を含む。セルラネットワークに含まれる基地局がサポートする無線セルラ技術標準に応じて、一般に別のコンポーネントも利用可能である。更に、１つのセルラネットワークは、それぞれ個々の基地局を必要とする多数の無線セルラ技術標準をサポートすることができる。この例示的な実施形態では、これらの詳細の全てを省略する。
【０１１２】
本発明の例示的な実施形態は、セルラネットワークから基地局１０及びアンテナ１１を介して通信ユニット３に提供され、特にネットワークアクセスマネージャユニット５において処理されるネットワークアクセスガイダンス１３によりトリガされる。
【０１１３】
ネットワークアクセスガイダンス１３の処理の一部は、特に、１つの好適な実施形態においてセルラネットワーク９に接続される遠隔サーバ１４へのアクセスであり、したがって、通信ユニット３は、メッセージを、セルラネットワークを介して遠隔サーバ１４にバックエンド接続１５、特にＩＰ接続を介して送信することができる。遠隔サーバは更に、別の接続１６を介してメッセージを第２の無線通信デバイス（１．２）に送信するように構成される。
【０１１４】
図２は、本発明の方法の例示的な実施形態の基本的な方法のフローを示す。第１の無線通信デバイス１．１の制御装置２及び通信ユニット３が関与する。更に、セルラネットワーク９が関与する。
【０１１５】
本発明の好適な実施形態によるプロセスは、通信ユニット３から、具体的には基地局で表されるセルラネットワークへの登録要求Ｍ１から始まる。登録要求によって、通信ユニットは、ＳＩＭカード８に格納された認証情報をセルラネットワーク９に提供する。セルラネットワークは、セルラネットワークへの無線通信デバイス１．１の登録をメッセージＭ２で承認する。
【０１１６】
登録後、無線通信デバイス１．１は、セルラネットワーク９内で、好ましくは一定期間、データ送信及び／又は受信、セル変更などを含み得る動作を行っている。
【０１１７】
そして、一般にセルラネットワーク側からのトリガによって、セルラネットワーク９はネットワークアクセスガイダンス１３を含むメッセージＭ３を発信する。斯かるネットワークアクセスガイダンス１３は、１つのメッセージと共に転送される１つの命令、又は１つ以上の伝送の一部として送信されるいくつかの命令から構成され得る。簡単にするため、以下では、ネットワークアクセスガイダンス１３は、１つのメッセージに含めて送信される１つの命令、特にネットワークフレンドリーモード命令を含むものとされる。
【０１１８】
ネットワークアクセスガイダンス１３は、通信ユニット３のネットワークアクセスマネージャユニット５内で処理されることが好ましい。ネットワークフレンドリーモード命令の場合、ネットワークアクセスマネージャユニット５は、ステップＭ４によってネットワークアクセスガイダンス１３を解釈するタスクを有する。
【０１１９】
特にこれは、ネットワークフレンドリーモード命令の例において、制御装置に対するどんな種類の制限を意味するか、そして潜在的にどんな種類のオプションが利用可能かを含む。１つのオプションは特に、ネットワークフレンドリー動作に応じて通信ユニットのネットワーク動作をいつ適合させるかである。
【０１２０】
この解釈ステップＭ４の結果はメッセージＭ５で制御装置２に送信される。好ましくは、このメッセージＭ５はＵＲＣとして制御装置２に提供される。
【０１２１】
結果として制御装置２はこのメッセージを受け入れ、別の保留中のデータ送信又は受信セッションが予定されている場合に精緻化する可能性があり、その意味で無線通信デバイスは現在アクティブであり、潜在的にははるかにアクティブである。これは、ネットワークアクセスガイダンス１３について決定を行うのに必要な情報の大半は、制御装置２において利用可能であることを意味する。
【０１２２】
したがって、十分な根拠のある決定は、メッセージＭ６により、好ましくはＡＴコマンドによって通信ユニット３に応答として提供される。
【０１２３】
通信ユニットは一般に、ここに示されていないＡＴコマンドの受信確認を行う。
【０１２４】
更に、通信ユニット３、すなわちネットワークアクセスマネージャユニットの側で、制御装置２からの応答Ｍ６に関する評価ステップを実行することが想定されている。この評価ステップは、交渉によってネットワークアクセスガイダンスをどう処理すべきかについての決定を下すために、制御装置及びネットワークアクセスマネージャユニット間のより多くのメッセージ交換を含むことが好ましい。これは、この評価ステップによって、制御装置２及び通信ユニット３の両コンポーネントの、例えばコンテキストに関する知識が、受信したネットワークアクセスガイダンスについての決定のために考慮されるために有利である。
【０１２５】
この決定によって、通信ユニット、特にネットワークアクセスマネージャユニットは、この例示的な実施形態において２つのタスクを有する：１つ目は制御装置から受信した命令を適用することであり、２つ目はセルラネットワークに制御装置の決定について通知を行うことである。後者はメッセージＭ７を用いて行われる。
【０１２６】
このメッセージの一部として、特に、好ましくは制御装置により提供される理由がメッセージＭ７で提供される。これは、ネットワークアクセスガイダンスに従わないであろうことが無線通信デバイスによりセルラネットワークに通知される、不適切なネットワークアクセスガイダンスの場合に特に有意義である。
【０１２７】
無線通信デバイスが静止したデバイスであり、モビリティ挙動に関するネットワークアクセスガイダンス１３を受信する場合は、メッセージＭ７中の応答は、ネットワークアクセスガイダンスを無視するという情報とその理由を含む。無線通信デバイスが静止したデバイスであるということは、あらかじめ、しかしコンテキストの一部として制御装置だけが知られている。したがって、この場所は、この決定を行い、その後通信ユニットによりセルラネットワークに転送される決定の理由を示すのに適切である。
【０１２８】
メッセージＭ７に応答して、セルラネットワークは別のメッセージに、受信したネットワークアクセスガイダンスを無視する理由を考慮した確認、すなわち補正メッセージを示し得る。
【０１２９】
更に、セルラネットワークへのメッセージＭ７は、ネットワークアクセスガイダンスが推奨された動作のコンテキストのみを提供する、又は動作オプションが適用可能なコンテキストで記述された２つの動作のどちらかの選択肢を与える場合に有利である。この提供されたコンテキストは一般に、かねてからネットワークアクセスマネージャユニットにおいて通常実行される解釈ステップの結果であり、したがって、制御装置のアクティブなコンテキストと比較するために制御装置に提供される。
【０１３０】
この場合、メッセージＭ７を用いて、通信ユニットは、選択された又は示されたネットワークアクセス動作をどう実行すべきかについての詳細を要求する。そしてセルラネットワークは、制御装置にとって興味のない、セルラネットワーク内でどう動作すべきかについての全ての詳細を通信ユニットに提供する。
【０１３１】
図３は、図２におけるのと全く同じメッセージフローから始まる、本発明の方法の拡張された実施形態の別のシーケンス図を示す。
【０１３２】
ただし、制御装置２は更に、メッセージＭ６を用いて、受信するネットワークアクセスガイダンスについて遠隔サーバ１４に通知する必要があることを通信ユニットに示す。遠隔サーバ１４は特に、複数の無線通信デバイス１．１、１．２の中央接触点であるフリートサーバである。
【０１３３】
その結果、通信ユニット３はメッセージＭ８を遠隔サーバ１４に送信する。この送信がセルラネットワークによって行われるか、他の接続手段により行われるかは、この実施形態の２つの可能なオプションである。後者の場合、第２の通信ユニットも関与し、特に第１の通信ユニットによりトリガされ得る。
【０１３４】
遠隔サーバへのメッセージＭ８は、特に２つの目的の１つを有する。第１の目的は、遠隔サーバにネットワークアクセスガイダンスをどう処理すべきかについての指示を要求することである。これは特に、制御装置がこの質問に答える準備ができておらず、したがって、メッセージＭ１１を用いて通信ユニットに提供される外部支援を求める場合である。
【０１３５】
したがって、通信ユニットは、この受信した情報を自身の動作に適用し、結果的に図２と同様にメッセージＭ７を用いて決定についてセルラネットワークに通知する。
【０１３６】
代替的又は追加的な第２のオプションとして、遠隔サーバに知られている少なくとも１つの他の無線通信デバイス１．２に、受信したネットワークアクセスガイダンスについての情報を提供できるように遠隔サーバ１４に通知が行われる。メッセージＭ９を用いて提供されるこの情報は、特にネットワークアクセスガイダンスに従ってセルラネットワーク内でどう動作すべきかについての先行指示であり、したがって、他の無線通信デバイスから遠隔サーバへの要求が省かれる。
【０１３７】
他の無線通信デバイス１．２は、特に単純なＡＣＫであるメッセージＭ１０を用いて確認を行う。ここでも遠隔サーバ１４と無線通信デバイス１．２の接続は、もちろんセルラネットワーク９によるものであってもよいが、必ずしもセルラネットワーク９である必要はない。
【０１３８】
遠隔サーバ１４が関与することによって、ネットワークアクセスガイダンス１３の処理はより広い基盤に置かれ、一群の無線通信デバイスに属する無線通信デバイスの１つがネットワークアクセスガイダンスメッセージを受信すると、いずれもネットワークアクセスガイダンスをどう処理し、遠隔サーバ１４により対処される無線通信デバイス群のシグナリングをどう減少させるべきかについてのより良い決定を可能にするより多くのオプションを与える。
【０１３９】
以上の詳細な説明において、例示により、本発明が実施される特定の実施形態を示す添付図面が参照される。これらの実施形態は、当業者が本発明を実施することができるように十分詳細に記載される。異なっていたとしても、本発明の様々な実施形態は必ずしも互いに排他的ではないことは理解されるべきである。例えば、一実施形態と関連して本明細書に記載される特定の特徴、構造、又は特性は、本発明の範囲を逸脱することなく、別の実施形態において実現されてもよい。加えて、開示される各実施形態の範囲内の個別要素の位置又は配置は、本発明の範囲を逸脱することなく変更されてもよいことは理解されるべきである。従って、以上の詳細な説明は、限定的な意味で受け取られるべきではなく、本発明の範囲は、請求項が権利を得ることができる全範囲の同等物とともに、適切に解釈された、添付請求項によってのみ定義される。
【符号の説明】
【０１４０】
１  無線通信デバイス
２  制御装置
３  通信ユニット
４  ネットワークアクセスユニット
５  ネットワークアクセスマネージャユニット
６  通信ユニットファームウェア
７  制御インターフェース
８  ＳＩＭカード
９  セルラネットワーク
１０  基地局
１１  アンテナ
１２  エアインターフェース
１３  ネットワークアクセスガイダンス
１４  遠隔サーバ
１５  バックエンド接続
１６  第２の遠隔サーバ接続
【図１】
0006584660.tif 000002
【図２】
0006584660.tif 000003
【図３】
0006584660.tif 000004